(57)【要約】【課題】意匠性を高めるために用いられる出入口用の額縁に新たな機能を付加することを目的とする。【解決手段】ドアによって開閉される建物の出入口の側縁に沿って設けられる出入口用額縁であって、建物の外壁に取り付けられ、内部に空間が形成された本体部と、この本体部に形成された空間内に配され、前記本体部の周面に形成された吸引口より空気を吸引しつつ前記本体部の周面に形成された吹出口より空気を吹き出す送風手段と、を備える出入口用額縁とした。【選択図】図２
2013024022.tif 000002
【特許請求の範囲】
【請求項１】
ドアによって開閉される建物の出入口の側縁に沿って設けられる出入口用額縁であって、
建物の外壁に取り付けられ、内部に空間が形成された本体部と、
この本体部に形成された空間内に配され、前記本体部の周面に形成された吸引口より空気を吸引しつつ前記本体部の周面に形成された吹出口より空気を吹き出す送風手段と、
を備えることを特徴とする出入口用額縁。
【請求項２】
前記本体部の外側の面に前記吸引口が形成され、前記本体部の内側の面に前記吹出口が形成されていることを特徴とする請求項１に記載の出入口用額縁。
【請求項３】
前記本体部の内側の面は、その少なくとも一部が先端にかけて外側に広がる方向に傾斜しており、前記吹出口は、この傾斜した面に沿って形成されていることを特徴とする請求項２に記載の出入口用額縁。
【請求項４】
屋外における出入口近傍の所定の範囲内に人が存在することを検出する人検出センサにより、当該所定の範囲内への人の進入を検出したことを契機として、前記送風手段を駆動させることを特徴とする請求項１から請求項３のいずれか一項に記載の出入口用額縁。
【請求項５】
出入口を開閉するドアがロックされた状態からそのロックが解除されたことを検出するロック解除センサにより、屋外側からロックが解除されたのを検出したことを契機として、前記送風手段を駆動させることを特徴とする請求項１から請求項３のいずれか一項に記載の出入口用額縁。
【発明の詳細な説明】
【技術分野】
【０００１】  本発明は、建物の出入口（玄関等）の周囲に設けられる額縁に関する。
【背景技術】
【０００２】  下記特許文献１に記載されるように、建物の出入口には意匠性を高めるための額縁（特許文献１の化粧性ドア枠に相当する）が設けられることがある。
【先行技術文献】
【特許文献】
【０００３】
【特許文献１】特開２００３−２４７３７６号公報
【発明の概要】
【発明が解決しようとする課題】
【０００４】  このような額縁は、通常、出入口の意匠性を高める以外の機能を有するものではない。上記特許文献１には、表札やインターホンなどの要素を額縁（化粧ドア枠）に含ませた構成が記載されているが、出入口がすっきりとした印象となる以上の効果（外観を向上させる以外の効果）を発現するものではない。【０００５】  上記実情に鑑み、本発明は、意匠性を高めるために用いられる出入口用の額縁に新たな機能を付加することを目的とする。
【課題を解決するための手段】
【０００６】  上記課題を解決するために本発明は、ドアによって開閉される建物の出入口の側縁に沿って設けられる出入口用額縁であって、建物の外壁に取り付けられ、内部に空間が形成された本体部と、この本体部に形成された空間内に配され、前記本体部の周面に形成された吸引口より空気を吸引しつつ前記本体部の周面に形成された吹出口より空気を吹き出す送風手段と、を備えることを特徴とする。【０００７】  上記出入口用額縁は、額縁本体を構成する本体部内に、本体部に形成された吹出口から空気を吹き出す送風手段を備える。したがって、出入口を通って屋内に進入しようとする人に付着した花粉や埃、放射性物質などの物質（以下、このような物質を屋外物質と総称する）が、人が屋内に進入する前に吹き飛ばされる。このように、上記出入口用額縁は、建物の出入口の意匠性を高めるためだけでなく、人に付着した屋外物質を除去する装置としても機能する。【０００８】  この場合、前記本体部の外側の面に前記吸引口が形成され、前記本体部の内側の面に前記吹出口が形成されていればよい。【０００９】  かかる構成によれば、本体部の内側の面に吹出口が形成されているから、屋内に進入しようとする人に付着した屋外物質を効率よく吹き飛ばすことができる。また、本体部の外側の面に吸引口が形成されているから、内側の面から吹き出す空気、すなわち吹き飛ばされた屋外物質を含む空気が再び吸引されにくい。また、本体部に形成された吹出口や吸引口は、出入口正面からは目立たないため、これらが意匠性の低下を引き起こすこともない。【００１０】  またこの場合、前記本体部の内側の面は、その少なくとも一部が先端にかけて外側に広がる方向に傾斜しており、前記吹出口は、この傾斜した面に沿って形成されていればさらによい。【００１１】  このように、本体部における内側の面の少なくとも一部が先端にかけて外側に広がる方向に傾斜していれば、額縁によって出入口が狭められている（圧迫されている）ような印象ではなく、出入口が広く開放している印象を与える。そして、この傾斜した面に吹出口が形成されていれば、屋外物質を吹き飛ばした空気は、屋外の方向に流れ、屋内に入り込みにくい。このように、上記構成によれば、額縁としての意匠性を高めるための構成（本体部の内側の面が傾斜している構成）を巧みに利用して、屋外物質の進入を防止する効果をさらに高めることができる。【００１２】  また、屋外における出入口近傍の所定の範囲内に人が存在することを検出する人検出センサにより、当該所定の範囲内への人の進入を検出したことを契機として、前記送風手段を駆動させるようにするとよい。また、出入口を開閉するドアがロックされた状態からそのロックが解除されたことを検出するロック解除センサにより、屋外側からロックが解除されたのを検出したことを契機として、前記送風手段を駆動させるようにしてもよい。【００１３】  上記構成を採用すれば、人センサ検出範囲内に入ったり、ドアのロックを解除したりすれば自動的に送風手段が駆動し、吹出口より吹き出された空気によって屋外物質が吹き飛ばされる。したがって、帰宅する度にスイッチを操作するといった必要がなくなるため使い勝手がよい。また、送風手段を駆動させ��ことを忘れてしまうこともない。
【発明の効果】
【００１４】  本発明にかかる出入口用額縁は、建物の出入口の意匠性を高めるためだけでなく、人に付着した屋外物質を除去する装置としても機能させることができる。
【図面の簡単な説明】
【００１５】
【図１】本実施形態にかかる出入口用額縁の外観図である。
【図２】本実施形態にかかる出入口用額縁の断面図（図１におけるＡ−Ａ線断面図）である。
【発明を実施するための形態】
【００１６】  以下、本発明の実施形態について詳細に説明する。なお、以下の説明における上下方向とは図１における上下（Ｙ方向）をいい、左右方向（幅方向）とは、図１における左右（Ｘ方向）をいうものとする。
【００１７】  出入口用額縁は、ドア９０によって開閉される建物の出入口（開口部）の側縁に沿って設けられる。本実施形態にかかる出入口用額縁１は、出入口の左側縁および右側縁に沿って設けられており、本体部１０および送風手段２０を備える。なお、出入口の左側縁に設けられたものと右側縁に沿って設けられたものは、出入口を幅方向に二分する中央線に関し、左右対称である。
【００１８】  本体部１０は、出入口の側縁に沿って延びる内側に空間１０１が形成された角筒状の部材である。この本体部１０を構成する板材（化粧板）の柄（模様）が、額縁としての意匠を決定する。この本体部１０は、建物の外壁９１（屋外側）に固定される。具体的には、本体部１０の底面１１が外壁９１に密着した状態で固定される。この本体部１０の周面には、吸引口１２１および吹出口１３１が形成されている。本実施形態では、本体部１０の外側の面１２（幅方向外向きの面、すなわち出入口とは反対側の面）に吸引口１２１が形成され、本体部１０の内側の面１３（幅方向内向きの面、すなわち出入口側の面）に吹出口１３１が形成されている。吸引口１２１と吹出口１３１の高さ方向位置は略同じに設定されている。詳細を後述する送風手段２０によって吸引口１２１から吸い込まれた空気は、吹出口１３１より吹き出される。つまり、空気は、本体部１０の外側から吸い込まれ、内側に向かって吹き出される。
【００１９】  図２から分かるように、この本体部１０の内側の面１３は、その少なくとも一部が先端（先端面１４）にかけて外側に広がる方向に傾斜している（先端面１４に繋がる傾斜面１３ａが形成されている）。別の見方をすれば、本体部１０は、内側の面１３と先端面１４とによって形成される稜角を削るように面取りされた断面形状となっている。なお、ここでいう「先端」とは、最も屋外寄り（屋内から離れた）の面（底面１１の反対側の面）のことである。このように内側の面１３が先端にかけて外側に広がる方向に傾斜していれば、額縁で囲まれる領域が屋外方向に向かって段々と広がっているということであるから、額縁の存在による圧迫感が低くなる。そして、本実施形態では、この内側の傾斜した面に沿って吸引口１２１が形成されている。したがって、送風手段２０によって吹き出される空気の流れ（吹き出す向き）は、屋外寄りに傾斜した方向（屋内から離れる方向）となる。
【００２０】  送風手段２０は、本体部１０に形成された空間１０１内に配された少なくとも送風機２１を含む構成である。送風手段２０が有する送風機２１としては、いわゆるクロスフローファンが好適である。このようなクロスフローファンを、上下方向に沿って配置すれば、上下方向に長い風を発生させることができる。なお、吹出口１３１から吹き出される風圧を大きくするため、吸引および吹出のための流路を確保した送風機２１を囲む箱状の送風機収容部を別途設けてもよい。かかる構成とすれば、吹出口１３１から吹き出されず本体部１０内に逃げてしまう空気の量を小さくすることができるから、吹出口１３１から吹き出される風圧が大きくなる。
【００２１】  以上説明した出入口用額縁１によれば、次のような作用効果が奏される。出入口用額縁１は、額縁本体を構成する本体部１０内に、本体部１０に形成された吹出口１３１から空気を吹き出す送風手段２０を備える。したがって、出入口を通って屋内に進入しようとする人に付着した屋外物質が、人が屋内に進入する前に吹き飛ばされる。このように、上記出入口用額縁１は、建物の出入口の意匠性を高めるためだけでなく、人に付着した屋外物質を除去する装置としても機能する。
【００２２】  また、吹出口１３１は本体部１０の内側の面１３に吹出口１３１が形成されているから、人に付着した屋外物質を効率よく吹き飛ばすことができる。さらに、本体部１０の外側の面１２に吸引口１２１が形成されているから、内側の面１３から吹き出す空気、すなわち吹き飛ばされた屋外物質を含む空気が再び吸引されにくい。また、本体部１０に形成された吹出口１３１や吸引口１２１は、出入口正面からは目立たないため、これらが意匠性の低下を引き起こすこともない。
【００２３】  また、本体部１０における内側の面１３の少なくとも一部が先端にかけて外側に広がる方向に傾斜している（傾斜面１３ａが形成されている）ため、額縁によって出入口が狭められている（圧迫されている）ような印象ではなく、出入口が広く開放している印象を与える。そして、この内側の面１３の傾斜面１３ａに吹出口１３１が形成されているため、屋外物質を吹き飛ばした空気は、屋外の方向に流れるから、屋内に入り込みにくい。このように、本実施形態にかかる出入口用額縁１は、額縁としての意匠性を高めるための構成（本体部１０の内側の面１３に傾斜面１３ａが形成されている構成）を巧みに利用して、屋外物質の進入を防止する効果を高めている点で優れる。つまり、本体部１０の内側の面１３に傾斜面１３ａが形成されている構成を利用して、額縁としての意匠性、人に付着した屋外物質を吹き飛ばす装置としての性能の両方を向上させた点で優れる。
【００２４】  このような出入口用額縁１は、送風手段２０を駆動させるための構成（契機（トリガー）となる構成）をさらに備える。かかる構成としては、様々なものが考えられる。例えば、単純な機械的に操作されるスイッチを、出入口用額縁１自体や出入口近傍に設け、当該スイッチを操作することにより送風手段２０を動作させる構成としてもよい。
【００２５】  また、出入口用額縁１や出入口近傍の外壁９１などに、出入口付近の所定の範囲内に人が存在することを検出する人検出センサを設置し、当該センサが所定の範囲内への人の進入を検出したことを契機として、送風手段２０を駆動させるようにしてもよい。かかる構成とすれば、帰宅する度にスイッチを操作するといった必要がなくなるため使い勝手がよい。また、送風手段２０を駆動させることを忘れてしまうこともない。
【００２６】  この場合、外から帰宅したケースにのみ送風手段２０が駆動するようにするため、出入口のドア９０がロックされている条件下において、前記所定の範囲内への人の進入を検出したことを契機として、送風手段２０を駆動させるようにしてもよい。このようにすれば、外出しない場合（単に庭先に出るだけのような場合）に送風手段２０は駆動しないため都合がよい。
【００２７】  また、出入口を開閉するドア９０がロックされた（鍵が掛けられた）状態からそのロックが解除されたことを検出するロック解除センサを設置し、当該センサが屋外側からロックが解除されたのを検出したことを契機として、送風手段２０を駆動させるようにしてもよい。かかる構成とすれば、上記人検出センサを利用した場合と同様に、帰宅する度にスイッチを操作するといった必要がなくなり、送風手段２０を駆動させることを忘れてしまうこともない。なお、「屋外側」からロックが解除されたことを契機とするのは、帰宅時にのみ送風手段２０を駆動させるため（屋内側からロックが解除された場合に送風手段２０を駆動させないようにするため）である。このように「屋外側」からロックが解除されたことを検出するためには、出入口付近に人が存在することを検出する人検出センサを設置すればよい。つまり、出入口付近に人が存在し、かつ、ドア９０のロックが解除された場合には、「屋外側」からロックが解除されたことになる。なお、鍵が二以上設けられている場合には、そのうちいずれか一つでもロックが解除されたときに送風手段２０が駆動される構成としてもよいし、全てのロックが解除されたときに送風手段２０が駆動される構成としてもよい。
【００２８】  以上、本発明の実施の形態について詳細に説明したが、本発明は上記実施の形態に何ら限定されるものではなく、本発明の要旨を逸脱しない範囲で種々の改変が可能である。
【００２９】  例えば、上記実施形態にかかる出入口用額縁１は、出入口の左側縁および右側縁に沿って設けられているものとしたが、出入口の上側縁や下側縁に沿って設けられる場合であっても同様の技術的思想が適用できる。
【符号の説明】
【００３０】１出入口用額縁、１０本体部、１０１空間、１２外側の面、１２１吸引口、１３内側の面、１３ａ傾斜面、１３１吹出口、２０送風手段、９０ドア
【図１】
2013024022.tif 000003
【図２】
2013024022.tif 000004